(57)【要約】【課題】画像形成装置に接続される周辺機器の種類や組み合わせに応じて、要求される順序や最適な準備動作を可能とし且つ自由度の高い画像形成装置の周辺機器、画像形成装置及び画像形成システムを提供する。【解決手段】シートに画像を形成する画像形成装置１１０に接続して所定の処理動作を行う周辺機器１２１、１２３、１２５、１２７であって、処理開始の準備動作に必要な電力と時間との関係について複数の準備動作パターンを備えており、画像形成装置１１０にその周辺機器１２１、１２３、１２５、１２７が接続された場合に、接続された周辺機器に応じて各周辺機器が有する準備動作パターンを選択して準備動作を行わせる。【選択図】図１０
2008037088.tif 000002
【特許請求の範囲】
【請求項１】
シートに画像を形成する画像形成装置に接続して所定の処理動作を行う周辺機器であって、処理開始の準備動作に必要な電力と時間との関係について複数の準備動作パターンを備えていることを特徴とする画像形成装置の周辺機器。
【請求項２】
接続された周辺機器の種別を認識する種別認識手段を有する画像形成装置であって、請求項１に記載の周辺機器が接続された場合に、接続された周辺機器に応じて各周辺機器が有する準備動作パターンを選択して準備動作を行わせることを特徴とする画像形成装置。
【請求項３】
所定の処理動作を行う周辺機器が接続可能に設けてあり、接続された周辺機器の種別を認識する種別認識手段を有する画像形成装置であって、画像形成装置の処理開始の準備動作に必要な電力と時間との関係について、接続された周辺機器の種類と組み合わせとに応じて準備動作を行う複数の準備動作パターンを備えていることを特徴とする画像形成装置。
【請求項４】
接続される周辺機器の種類と接続される周辺機器の種類と組み合わせに応じて予め設定された複数の準備動作パターンを有し、接続された周辺機器の種類と組み合わせに応じて準備動作パターンを特定して、各周辺機器の準備動作を行わせることを特徴とする請求項２に記載の画像形成装置。
【請求項５】
請求項１に記載の周辺機器と、請求項２〜４の何れか一項に記載の画像形成装置とからなることを特徴とする画像形成システム。
【発明の詳細な説明】
【技術分野】
【０００１】
本発明は、画像形成装置に接続されて画像形成後のシートを後処理したり、画像形成装置に原稿を自動給送する等の各種の周辺機器や、それらの周辺機器を接続可能に設けてある画像形成装置、及び画像形成装置と周辺機器とからなる画像形成システムに関する。
【背景技術】
【０００２】
従来、画像形成が行われたシートに対して複数の後処理動作を行うシート後処理装置（周辺機器）では、電源が投入された時やカバーを閉じた後に、各処理部を所定の待機位置まで移動して後処理開始の準備動作（イニシャル動作）を行っている。
【０００３】
特許文献１のシート後処理装置は、各処理部の初期化動作を任意に指定した処理部から順に行う技術が開示されている。
【０００４】
【特許文献１】特開２００５−１４８４７９号公報
【発明の開示】
【発明が解決しようとする課題】
【０００５】
しかし、特許文献１に記載の従来技術は、後処理の初期化動作を任意に指定した処理部から順に行っているので、全ての処理部の準備動作が終了するまでには、一定の電力と一定の所定時間がかかる。
【０００６】
一方、画像形成装置に周辺機器を接続した画像形成システムでは、接続されている周辺機器の種類と組み合わせによっては、多少時間がかかっても画像形成装置と同時に準備動作が終了していることを要求される場合や、とりあえず画像形成装置の準備動作を終了させ、その後に周辺機器の準備動作を行うようにしたいという要求もある。また、画像形成装置の準備動作によっては準備動作に要求される電力にあきがあるためその電力を周辺機器の準備動作に利用可能な場合もある。
【０００７】
尚、画像形成処理における複数の処理部の準備動作や各周辺機器の準備動作を同時に行うと画像形成装置の初期化動作と後処理装置の各処理部の初期化動作に必要な消費電力のピークのタイミングが重なるという不具合がある。
【０００８】
本発明は、画像形成装置に接続される周辺機器の種類や組み合わせに応じて、要求される順序や最適な準備動作を可能とし且つ自由度の高い画像形成装置の周辺機器、画像形成装置及び画像形成システムの提供を目的とする。
【課題を解決するための手段】
【０００９】
前記課題を解決するために、請求項１に記載された発明は、シートに画像を形成する画像形成装置に接続して所定の処理動作を行う周辺機器であって、処理開始の準備動作に必要な電力と時間との関係について複数の準備動作パターンを備えていることを特徴とする画像形成装置の周辺機器である。
【００１０】
請求項２に記載された発明は、接続された周辺機器の種別を認識する種別認識手段を有する画像形成装置であって、請求項１に記載の周辺機器が接続された場合に、接続された周辺機器に応じて各周辺機器が有する準備動作パターンを選択して準備動作を行わせることを特徴とする画像形成装置である。
【００１１】
請求項３に記載された発明は、所定の処理動作を行う周辺機器が接続可能に設けてあり、接続された周辺機器の種別を認識する種別認識手段を有する画像形成装置であって、画像形成装置の処理開始の準備動作に必要な電力と時間との関係について、接続された周辺機器の種類と組み合わせとに応じて準備動作を行う複数の準備動作パターンを備えていることを特徴とする画像形成装置。
【００１２】
請求項４に記載された発明は、請求項２に記載の発明において、接続される周辺機器の種類と接続される周辺機器の種類と組み合わせに応じて予め設定された複数の準備動作パターンを有し、接続された周辺機器の種類と組み合わせに応じて準備動作パターンを特定して、各周辺機器の準備動作を行わせることを特徴とする。
【００１３】
請求項５に記載された発明は、請求項１に記載の周辺機器と、請求項２〜４の何れか一項に記載の画像形成装置とからなることを特徴とする画像形成システムである。
【発明の効果】
【００１４】
本発明によれば、画像形成装置に接続された周辺機器は、例えば消費電力を大きくして所要時間を短くする場合や、消費電力を小さくして所要時間を長くする場合等の複数のパターンで準備動作を行うことができるので、例えば、画像形成装置の準備動作を行うために必要な電力に空きがある場合にその空き電力を使用して画像形成装置と同時期に準備動作をしたり、画像形成装置の準備動作が完了した後に準備動作をすることができるので、顧客に要求される順番や時間や消費電力において最適な準備動作ができ、準備動作の自由度が高い。
【発明を実施するための最良の形態】
【００１５】
以下に、添付図面を参照して、本発明の第１実施の形態を詳細に説明する。尚、図１は本発明の第１実施形態に係る用紙後処理装置の制御ブロック図、図２は本発明の第１実施形態に係る用紙後処理装置において、複数動作処理時のイニシャル動作（準備動作）を説明するフローチャート、図３は本発明の第１実施形態に係る用紙後処理装置において、個別動作処理時のイニシャル動作を説明するフローチャート、図４は図６に示す中折り処理部を拡大して示す図、図５は中折り処理部のイニシャル動作（準備動作）を説明するフローチャート、図６は本発明の第１実施形態に係る用紙後処理装置の全体概略図である。
【００１６】
図６に示すように用紙後処理装置（第１後処理装置）１００は、画像形成装置１１０の側部に取付けられており、画像形成装置１１０から排出された用紙（シート）に穿孔処理を施す穿孔処理部Ａと、シート束に対して綴じ処理を施す綴じ処理部（ステープルトレイ）Ｆと、綴じ処理を施したシート束に折り処理を施す中折り処理部Ｇ、穿孔処理や綴じ処理が施された用紙を機外に排出する排紙トレイ３９ａ、３９ｂ、３９ｃ等を備えている。この実施の形態では、画像形成装置１１０と用紙後処理装置１００とで画像形成システムを構成している。
【００１７】
穿孔処理部Ａは、画像形成装置１１０から受け入れる用紙を検出する入口センサ２０ａ、その下流に設けた入口ローラ２１、パンチユニット３１、ホッパ３２、搬送ローラ２２、分岐爪１５および分岐爪１６が順次配置されている。ソレノイドをＯＮすることにより、分岐爪１５は上方に、分岐爪１６は下方に各々回動する。用紙を上トレイ３９ａへ導く搬送路Ｂ、シフトトレイ３９ｂへ導く搬送路Ｃ、綴じ処理部Ｆへ導く搬送路Ｄへ、それぞれ分岐爪１５及び分岐爪１６によって振り分けられるようになっている。
【００１８】
搬送路Ｂの経路上には搬送ローラ２３、排紙ローラ２４及び排紙センサ２０ｂが設けられており、搬送路Ｂ上の用紙を上トレイ３９ａへ導いている。また、搬送路Ｃ上には搬送ローラ２５、排紙ローラ１３、２６及び排紙センサ２０ｃが設けられており、穿孔処理や綴じ処理を施した用紙をシフトトレイ３９ｂへ導いている。搬送路Ｄの経路上には各搬送ローラ２７、２９、３０、用紙検知センサ２０ｄ、２０ｅが設けられており、用紙を綴じ処理部Ｆへ導いている。また、搬送路Ｄ内には分岐爪１７が配置されており、搬送ローラ２８によって用紙収容部Ｅへ用紙を導いて、用紙収容部Ｅに用紙を滞留させ、次の用紙と重ね合せて搬送できるようになっている。
【００１９】
次に綴じ処理部Ｆについて説明する。綴じ処理部Ｆは用紙を綴じ処理トレイ内に導くステープル排紙ローラ１１と、トレイ内に導かれた用紙が突き当てられる後端フェンス５１と、トレイ上の用紙を検知する検知センサ２０ｆと、用紙の縦方向（搬送方向）の整合を行う叩きコロ１２と、用紙の幅方向の整合を行うジョガーフェンス５３と、用紙束の端部に綴じ処理を行う端部綴じ処理ステープラＳ１と、用紙束の中央部に綴じ処理を行う中央部綴じ処理ステープラＳ２と、綴じ処理の終了したシート束を放出する放出爪３１と、放出爪３１を駆動する放出ベルト３２と、放出ベルト３２を駆動する放出ローラ３３と、シート束偏向手段としての分岐ガイド板３４及び可動ガイド３５とを備えている。分岐ガイド板３４は支点を中心として回動自在である。また可動ガイド３５は放出ローラ３３に対して回動自在に取付けられている。
【００２０】
次に中折り処理部Ｇについて説明する。中折り処理部Ｇは、用紙束を搬送路に沿って案内する搬送ガイド４１と、搬送ガイド４１に沿って用紙束を搬送する搬送ローラ４２、４３と、突設自在に設けた折りブレード４５と、折りブレード４５に押された用紙束をニップに挟み込んで用紙束を折る折りローラ対４６とを備えている。また、中折り処理部Ｇの下端部には中折り処理部Ｇに搬送された用紙束の後端を突き当てる後端フェンス４７と、後端フェンス４７を上下に移動させる駆動モータ４８と、後端フェンス４７の初期位置（ホームポジション）を検知するＨＰ検知センサ４９とを備えている。また折りローラ対４６で折り処理が施された用紙束は搬送路Ｈの用紙検知センサ２０ｈ及び排紙ローラ３８を通過して、下トレイ３９ｃに排紙される。
【００２１】
次に本実施形態に係る用紙後処理装置の制御ブロック図について説明する。図１に示すように、用紙後処理装置１００には穿孔処理部Ａ、綴じ処理部Ｆ、中折り処理部Ｇの各駆動部を制御する後処理装置制御部６０が設けられており、画像形成装置１１０側の本体制御部５０と通信手段５６によって接続されている。また、画像形成装置１１０には用紙に対して画像形成処理を行う画像形成部５５、画像形成に関する各種設定を行う操作表示部５２、用紙後処理装置の種別を認識する種別認識手段５７が設けられている。操作表示部５２には複数動作処理と個別動作処理との設定の切替（選択）ができる準備動作切替手段５４が設けられている。
【００２２】
次に、本実施の形態に係る用紙後処理装置の作用及び効果を説明する。用紙後処理装置１００の電源が投入されると、用紙後処理装置１００内の各処理部においてイニシャル動作（準備動作）が行われる。ここでイニシャル動作の一例として、中折り処理部（第１ユニット）Ｇのイニシャル動作について図４及び図５を用いて説明する。図５に示すように、中折り処理部Ｇのイニシャル動作のステップが開始されると（Ｓ３１）、次のステップでは後端フェンス４７がＨＰ検知センサ４９の位置にあるか否か判断される（Ｓ３２）。ステップＳ３２においてＨＰ検知センサ４９がＯＮと判断された場合、駆動モータをＣＷ方向に回転させて後端フェンス４７をＹ方向に移動させる（Ｓ３３）。次いでステップＳ３４でＨＰ検知センサ４９がＯＦＦか否か判断され、ＨＰ検知センサ４９がＯＦＦと判断された場合には、次のステップＳ３５において駆動モータを停止すると共にモータをＣＣＷ方向に回転させて後端フェンス４７をＺ方向に移動させる。尚、ステップＳ３２においてＨＰ検知センサ４９がＯＦＦと判断された場合、駆動モータをＣＣＷ方向に回転させて後端フェンス４７をＺ方向に移動させる（Ｓ３９）。そして後端フェンス４７の移動が終了すると次のステップＳ３６に進む。次のステップＳ３６においてＨＰ検知センサ４９がＯＮと判断された場合、駆動モータを停止して中折り処理部Ｇのイニシャル動作を終了する。
【００２３】
イニシャル動作は画像形成装置１１０の操作表示部５２で設定された準備動作処理に基づいて制御される。すなわち、操作表示部５２で複数動作処理が選択された場合は、図２に示すフローチャートに基づいてイニシャル動作が行われる。操作表示部５２で個別動作処理が選択された場合は図３に示すフローチャートに基づいてイニシャル動作が行われる。
【００２４】
図２に示す複数動作処理(時間優先処理)の場合、イニシャル動作のステップが開始されると、次のステップでイニシャル開始の準備ができているか否か判断され、準備ができていると判断された場合は次のステップに進む（Ｓ１１〜Ｓ１３）。ステップＳ１３では、中折り処理部（第１ユニット）Ｇ、穿孔処理部（第２ユニット）Ａ、綴じ処理部（第３ユニット）Ｆ、の各処理部のイニシャル動作が同時に行われる。次のステップＳ１４において各処理部のイニシャル動作が終了したか否か判断され（ステップＳ１４）、全てのイニシャル動作が終了すると、複数動作処理のステップは終了する（ステップＳ１５）。
【００２５】
図３に示す個別動作処理（消費電力優先処理）の場合、イニシャル動作のステップが開始されると（Ｓ２１）、次のステップで中折り処理部（第１ユニット）Ｇのイニシャル動作開始の準備ができているか否か判断され、準備ができていると判断された場合は次のステップに進み、中折り処理部Ｇのイニシャル動作が開始される（Ｓ２１〜Ｓ２３）。次のステップＳ２４では、中折り処理部Ｇのイニシャル動作が終了したか否か判断され、イニシャル動作が終了した場合は次のステップに進み、イニシャル動作が終了しない場合はステップＳ２４の動作が繰り返される。
【００２６】
ステップＳ２５では穿孔処理部（第２ユニット）Ａのイニシャル動作が開始され、次のステップＳ２６では、穿孔処理部Ａのイニシャル動作が終了したか否か判断され、イニシャル動作が終了した場合は次のステップに進み、イニシャル動作が終了しない場合はステップＳ２６の動作が繰り返される。ステップＳ２７では綴じ処理部（第３ユニット）Ｆのイニシャル動作が開始され、次のステップＳ２８では、綴じ処理部Ｆのイニシャル動作が終了したか否か判断され、イニシャル動作が終了した場合は次のステップに進み、イニシャル動作が終了しない場合はステップＳ２８の動作が繰り返される。綴じ処理部Ｆのイニシャル動作が終了すると、個別動作処理のステップは終了する（ステップＳ２９）。
【００２７】
本実施の形態によれば、用紙後処理装置１００は個別動作処理と、複数動作処理との２つの動作処理を有するので、複数動作処理を行っても不具合が生じない用紙後処理装置に対してのみ複数動作処理を行うことで、イニシャル動作時間を短縮できる。また、複数動作処理で不具合が生じるおそれがある用紙後処理装置に対しては個別動作処理を行うことで、消費電力を分散させることができ、画像形成装置１１０内のユニット動作（例えば定着装置の加熱）時間を短くできる。このように用紙後処理装置の種別に応じて最適な動作処理を行うことができ、使い勝手が良い。
【００２８】
操作表示部５２には複数動作処理と個別動作処理との設定切替ができる準備動作切替手段５４が設けられているので、操作表示部５２上で簡単に設定を変えることができる。
【００２９】
次に、他の実施の形態を説明するが、以下の説明において、上述した第１実施の形態と同一の作用効果を奏する部分には同一の符号を付することにより、その部分の詳細な説明を省略し、以下の説明では上述の第１実施の形態と異なる点を主に説明する。
【００３０】
第２実施の形態では、画像形成装置１１０が用紙後処理装置１００を認識し、用紙後処理装置１００の種別に応じたイニシャル動作制御を行っている。そして、用紙後処理装置１００の種別に応じて異なるイニシャル動作処理（以下、単にシステム１ともいう）にしたり、用紙後処理装置１００の種別に拘らず同一のイニシャル動作処理（以下、単にシステム２ともいう）にしたりしている。尚、システム１及びシステム２は操作表示部５２で切替ができるようになっている。
【００３１】
図７（ａ）はシステム１の場合のフローチャートである。図７（ａ）に示すように、システム１の選択によりステップが開始すると（Ｓ４１）、次のステップでは画像形成装置１１０の種別認識手段５７により後処理装置の種別を判別する（Ｓ４２）。係るステップにおいて例えば各処理部におけるイニシャル動作の消費電力が大きいタイプＡの後処理装置を画像形成装置１１０が認識した場合、次のステップで後処理装置に消費電力優先の個別動作処理を行う指示が出される（Ｓ４３）。一方、ステップＳ４２において例えば各処理部におけるイニシャル動作の消費電力が小さいタイプＢの後処理装置を画像形成装置１１０が認識した場合、次のステップで後処理装置に時間優先の複数動作処理を行う指示が出される（Ｓ４４）。そして、次のステップで指示された動作処理に基づいてイニシャル動作が開始する（Ｓ４５）。
【００３２】
図７（ｂ）はシステム２の場合のフローチャートである。図７（ｂ）に示すように、システム２の選択によりステップが開始すると（Ｓ５１）、次のステップで後処理装置の種別を判別する（Ｓ５２）。係るステップにおいて、例えばタイプＡの後処理装置を画像形成装置１１０が認識した場合、次のステップで後処理装置に消費電力優先の個別動作処理を行う指示が出される（Ｓ５３）。一方、ステップＳ５２において例えばタイプＢの後処理装置を画像形成装置１１０が認識した場合、この場合も次のステップで後処理装置に消費電力優先の個別動作処理を行う指示が出される（Ｓ５４）。そして、次のステップで指示された動作処理に基づいてイニシャル動作が開始する（Ｓ５５）。
【００３３】
第２実施の形態では、用紙後処理装置１００が画像形成装置１１０に接続されると後処理装置１００の種別を認識して、後処理装置１００の種別に応じた後処理装置のイニシャル動作を行うことができるので、更に使い勝手の良いシステムを得ることができる。
【００３４】
次に、図８〜図１１を参照して、本発明の第３実施の形態を説明する。図８に示すように、第３実施の形態は、画像形成装置１１０に第１後処装置１２１及び第２後処理装置１２３と、自動原稿送り装置（ＡＤＦ）１２５と、別付けの給紙装置１２７とを接続した画像形成システムである。第１後処理装置１２１は、例えば穿孔処理をする後処理装置であり、第２後処理装置１２１は例えば綴じ処理を行う綴じ処理装置である。
【００３５】
画像形成装置１１０は本実施の形態では３つの準備動作パターンを有している。第１準備動作パターンは、図９に示すように、画像形成装置内の各部の準備動作、即ち、画像読み取り部の位置設定、熱定着部の加熱等を所定の電流Ａ１（例えば６アンペア）で時間Ｔ１（例えば８秒）行う準備動作パターンである。
【００３６】
画像形成装置の第２準備動作パターンは、図１０に示すように、電流Ａ１で時間Ｔ２（例えば４秒）行った後、電流Ａ２（例えば３アンペア）で時間Ｔ３（例えば４秒）を行う準備動作パターンである。
【００３７】
画像形成装置の第３準備動作パターンは、図１１に示すように、電流Ａ１を時間Ｔ４（例えば、２秒）行った後、電流Ａ２を時間Ｔ５（例えば、８秒）行う準備動作パターンである。
【００３８】
一方、各周辺機器１２１、１２３、１２５、１２７は、各々２つの準備動作パターンを有している。図９に示すように、電流Ａ１でＴ６（例えば１秒）時間行う第１準備動作パターンと、図１１に示すように電流Ａ２でＴ６（例えば２秒）行う第２準備動作パターンである。
【００３９】
この第３実施の形態では、画像形成装置１１０の準備動作パターンと各周辺機器１２１、１２３、１２５、１２７の準備動作パターンとの種々の組み合わせにより、画像形成システム全体における準備動作を、顧客の要求に応じて最適な準備動作で行うことができる。
【００４０】
例えば、図９に示す準備動作パターンは、画像形成装置が電流Ａ１でＴ１時間準備動作を行って画像形成装置１１０の準備動作が終了した後、給紙装置１２７と、自動原稿送り装置（ＡＤＦ）１２５と、第１後処装置１２１と、第２後処理装置１２３とをこの順序で各々電流Ａ１、時間Ｔ６で準備動作する。即ち、画像形成装置１１０の準備動作を優先して、画像形成システム全体の準備動作を行うものである。
【００４１】
図１０に示す準備動作パターンは、画像形成装置１１０の準備動作が終了したときには、給紙装置１２７とＡＤＦ１２９の準備動作も終了し、第１及び第２後処理装置の準備動作をするものであり、画像形成装置１１０の準備動作が終了したときにはとりあえず通常の複写処理ができるようにしたものである。
【００４２】
図１１に示す準備動作パターンは、画像形成装置１１０の準備動作が終了したときには、全ての周辺機器１２７、１２５、１２１、１２３も準備動作を終了するようにしたものである。
【００４３】
第３実施の形態によれば、画像形成装置１１０の準備動作パターンと周辺機器１２１、１２３、１２５、１２７の各準備動作パターンの組み合わせにより、画像形成システム全体として自由度の高い準備動作を行うことができる。
【００４４】
第１〜第３準備動作は、画像形成装置１１０に各周辺装置を１２７、１２５、１２１、１２３を接続した後、何れの準備動作パターンで準備動作を行うか予め登録されている３つのパターンから選択して設定する。このような設定は、例えば、画像形成システムの設定時にサービスマンが行う。
【００４５】
図１２〜図１４を参照して第４実施の形態について説明する。この第４実施の形態では、画像形成装置１１０は接続される周辺機器１２７、１２５、１２１、１２３の種類に応じて、各周辺機器に組み込まれて準備動作パターンを画像形成装置１１０からの作動信号を受けて実行するものである。図１２に示すように、画像形成装置１１０が上述の第２準備動作パターンを実行する場合に、図１３に示すように、画像形成装置１１０の電流のあき容量を利用してＡＤＦ１２５については周辺機器の第２準備動作パターンで行い、給紙装置１２７については周辺機器の第１準備動作パターンを行うものである。
【００４６】
また、画像形成装置１１０の消費電流に充分な空き容量がある場合には、その空き容量を利用して、図１４に示すように給紙装置１２７及びＡＤＦ１２５共に周辺機器の第３準備動作パターンを行うようにしたものである。この周辺機器の第３準備動作パターンは、電流Ａ３（例えば１．５アンペア）で時間Ｔ２（例えば４秒）おこなう。
【００４７】
即ち、第４実施の形態では、周辺機器１２７、１２５、１２１、１２３は、各々図１４で示すような第３の準備動作パターンを有している。
【００４８】
画像形成システム全体を何れの準備動作パターンで準備動作を行うかは、接続される周辺機器の種類の組み合わせごとに予め設定した準備動作パターンが画像形成装置１１０内に記録されており、画像形成装置１１０が接続された周辺機器１２７、１２５、１２１、１２３を認識すると、画像形成装置１１０は接続された周辺機器の種類の組み合わせから特定された準備動作パターンで自己の準備動作を行うと共に、周辺機器に対しても周辺機器に用意されている準備動作パターンを選択して実行指令を出すようになっている。
【００４９】
尚、画像形成システム全体の準備動作の終了は、図１４に示す準備動作パターンのほうが図３に示す準備動作パターンよりも早くできる。
【００５０】
図１５〜図１７を参照して第５実施の形態について説明する。この第５実施の形態では、画像形成装置１１０は上述の第２準備動作パターン（図１６参照）と、第１準備動作パターン（図１７参照）との２つの準備動作パターンを有し、周辺機器１２１、１２３は一つの準備動作パターンのみを有する例である。
【００５１】
この第５実施の形態では、画像形成装置１１０が有する２つの準備動作パターンから、一つの準備動作パターンを予め選択して設定しておくことにより、画像形成システム全体として、図１６に示す準備動作パターンや図１７に示す準備動作パターンを実行することができる。図１６に示す準備動作パターンでは画像形成装置１１０の準備動作終了と同時に第１及び第２後処理装置１２１、１２５の準備動作が終了するものである。図１７に示す準備動作パターンでは、まず画像形成装置１１０の準備動作を終了させて通常の複写を可能とした後に、周辺機器１２１、１２３を同時に準備動作するものである。
【００５２】
尚、本発明は、前述した実施形態に限定されることなく、その要旨を逸脱しない範囲で種々変形して実施できることは言うまでもない。
【００５３】
上述の第１実施形態において、中折り処理部Ｇ、穿孔処理部Ａ、綴じ処理部Ｆの３つのユニットのイニシャル動作について説明したが、これに限定されず、中折り処理部Ｇ、穿孔処理部Ａ、綴じ処理部Ｆ以外のユニット（例えば排紙トレイ）のイニシャル動作についても同様の動作処理を行っても良い。
【００５４】
上述の第１実施形態において、複数動作処理の場合、中折り処理部Ｇ、穿孔処理部Ａ、綴じ処理部Ｆ、の３つのイニシャル動作を同時に行うようにしたが、これに限定されず、２つのイニシャル動作（例えば、中折り処理部Ｇ及び穿孔処理部Ａのイニシャル動作）を同時に行い、この２つのイニシャル動作の前後に他のイニシャル動作（例えば綴じ処理部Ｆのイニシャル動作）を行っても良い。
【００５５】
上述の第１実施形態において、各処理部にイニシャル動作を行う部品が複数ある場合、それぞれの部品についてイニシャル動作の動作処理を選択できるようにしても良い。例えば中折り処理部Ｇの場合、折りブレード４５及び後端フェンス４７のイニシャル動作について、複数動作処理と個別動作処理との選択ができるようにしても良い。
【００５６】
上述の第１実施形態において、用紙後処理装置１００の電源が投入されると、用紙後処理装置の各処理部においてイニシャル動作を行うようにしたが、ドアの閉時やジョブの終了時にイニシャル動作を行っても良い。
【００５７】
上述の第１実施形態において、個別動作処理の場合、中折り処理部Ｇ、穿孔処理部Ａ、綴じ処理部Ｆの順にイニシャル動作を行っているが、その順番は如何なる順序であっても良い。
【図面の簡単な説明】
【００５８】
【図１】本発明の実施形態に係る用紙後処理装置の制御ブロック図である。
【図２】本発明の第１実施形態に係る用紙後処理装置において、複数動作処理時のイニシャル動作を説明するフローチャートである。
【図３】本発明の第１実施形態に係る用紙後処理装置において、個別動作処理時のイニシャル動作を説明するフローチャートである。
【図４】図６に示す中折り処理部を拡大して示す図である。
【図５】中折り処理部のイニシャル動作を説明するフローチャートである。
【図６】本発明の実施形態に係る用紙後処理装置の全体概略図である。
【図７】本発明の第２実施形態に係る用紙後処理装置のイニシャル動作を説明するフローチャートである。
【図８】本発明の第３実施形態に係る画像形成システムにおける周辺機器の種類と配置を示す概略構成図である。
【図９】第３実施形態における第１準備動作パターンを示す図であり、消費電力と時間との関係を示すグラフである。
【図１０】第３実施形態における第２準備動作パターンを示す図であり、消費電力と時間との関係を示すグラフである。
【図１１】第３実施形態における第３準備動作パターンを示す図であり、消費電力と時間との関係を示すグラフである。
【図１２】本発明の第４実施形態に係る画像形成システムにおける周辺機器の種類と配置を示す概略構成図である。
【図１３】第４実施形態に係る準備動作パターンを示す図であり、消費電力と時間との関係を示すグラフである。
【図１４】第４実施形態に係る準備動作パターンを示す図であり、消費電力と時間との関係を示すグラフである。
【図１５】本発明の第５実施形態に係る画像形成システムにおける周辺機器の種類と配置を示す概略構成図である。
【図１６】第５実施形態に係る準備動作パターンを示す図であり、消費電力と時間との関係を示すグラフである。
【図１７】第５実施形態に係る準備動作パターンを示す図であり、消費電力と時間との関係を示すグラフである。
【符号の説明】
【００５９】
Ａ          穿孔処理部（処理部）
Ｆ          綴じ処理部（処理部）
Ｇ          中折り処理部（処理部）
５４        準備動作切替手段
５７        種別認識手段
１００      シート後処理装置
１１０      画像形成装置
１２１      第１後処理装置（周辺機器）
１２３      第２後処理装置（周辺機器）
１２５      自動原稿送り装置（周辺機器）
１２７      給紙装置（周辺機器）
【図１】
2008037088.tif 000003
【図２】
2008037088.tif 000004
【図３】
2008037088.tif 000005
【図４】
2008037088.tif 000006
【図５】
2008037088.tif 000007
【図６】
2008037088.tif 000008
【図７】
2008037088.tif 000009
【図８】
2008037088.tif 000010
【図９】
2008037088.tif 000011
【図１０】
2008037088.tif 000012
【図１１】
2008037088.tif 000013
【図１２】
2008037088.tif 000014
【図１３】
2008037088.tif 000015
【図１４】
2008037088.tif 000016
【図１５】
2008037088.tif 000017
【図１６】
2008037088.tif 000018
【図１７】
2008037088.tif 000019